(57)【特許請求の範囲】
【請求項１】
移動通信装置により放射される無線周波電磁エネルギーの平均パワー及び持続時間を制御するためのシステムにおいて、
移動通信装置が身体に近接していることを検出するセンサアセンブリと、
移動通信装置による無線周波電磁エネルギーの放射を制御するためのコントローラとを有し、
前記センサアセンブリは、
所定の周波数バンド内の無線周波電磁エネルギーを検出するためのセンサと、
身体が存在しないときには離調されており、アンテナが身体に近接しているときには、反射した無線周波電磁エネルギーの量を変化させるために該アンテナのインピーダンスを変えることのできるアンテナと、
前記アンテナにより反射された無線周波電磁エネルギーの少なくとも一部を前記センサに向けるための結合器とを有し、
前記センサは、身体の近傍において前記アンテナにより反射された無線周波電磁エネルギーを測定することにより、身体への移動通信装置の近接を判定し、
該コントローラは、センサアセンブリにより移動通信装置が身体に近接していることが検出されたとき、移動通信装置により放射される無線周波電磁エネルギーの平均パワー及び持続時間のうち少なくとも１つを低減できるものであることを特徴とする、無線周波電磁エネルギーの平均パワー及び持続時間を制御するためのシステム。
【請求項２】
移動通信装置は、身体の近傍で使用するのに適した第１のモード、及び身体の近傍で使用するのに適していない第２のモードで動作することができ、
移動通信装置が身体に近接していることを前記センサアセンブリが検出したとき、前記コントローラは、移動通信装置が第２モードにおかれているときに移動通信装置により放射される無線周波電磁エネルギーの平均パワーを低減する、請求項１記載のシステム。
【請求項３】
前記第１モードは音声通信に適しており、前記第２モードはデータ通信に適している、請求項２記載のシステム。
【請求項４】
前記第２モードは、Ｇｅｎｅｒａｌ  Ｐａｃｋｅｔ  Ｒａｄｉｏ  Ｓｅｒｖｉｃｅ（ＧＰＲＳ）データ転送モードからなる、請求項３記載のシステム。
【請求項５】
前記センサは、前記アンテナにより放射された無線周波電磁エネルギーのパワーを測定し、
前記アンテナにより反射される無線周波電磁エネルギーのパワーは、移動通信装置が身体に近接しているときには減少する、請求項１から４までのいずれか１項記載のシステム。
【請求項６】
前記コントローラは、前記アンテナにより反射された無線周波電磁エネルギーから反射係数を求め、
求められた反射係数は、移動通信装置が身体に近接しているとき、自由空間内での前記アンテナに対する所定の反射係数から偏差する、請求項１から３までのいずれか１項記載のシステム。
【請求項７】
前記アンテナに対する求められた反射係数が、移動通信装置の送信バンド内で下限閾値反射係数より大であり、かつ、上限閾値反射係数より小であるとき、移動通信装置は身体に近接していないものと判定される、請求項６記載のシステム。
【請求項８】
移動通信装置により放射される無線周波電磁エネルギーの平均パワーを制御するためのシステムであって、
移動通信装置が、身体近傍で使用するのに適した第１のモード、及び身体近傍で使用するのに適していない第２のモードで動作することができる形式のシステムにおいて、
移動通信装置が身体に近接していることを検出するためのセンサアセンブリと、
移動通信装置による無線周波電磁エネルギーの放射を制御するためのコントローラとを有し、
前記センサアセンブリは、
所定の周波数バンド内の無線周波電磁エネルギーを検出するためのセンサと、
身体が存在しないときには離調されており、アンテナが身体に近接しているときには、反射した無線周波電磁エネルギーの量を変化させるために該アンテナのインピーダンスを変えることのできるアンテナと、
前記アンテナにより反射された無線周波電磁エネルギーの少なくとも一部をセンサに向けるための結合器とを有し、
前記センサは、身体の近傍においてアンテナにより反射された無線周波電磁エネルギーを測定することにより身体への移動通信装置の近接を判定し、
該コントローラは、移動通信装置が身体に近接していることを前記センサアセンブリが検出したとき、かつ、移動通信装置が第２モードにあるとき、移動通信装置により放射される無線周波電磁エネルギーの平均パワーを低減することができることを特徴とする、移動通信装置により放射される無線周波電磁エネルギーの平均パワーを制御するためのシステム。
【請求項９】
前記第１モードは音声通信に適しており、前記第２モードはデータ通信に適している、請求項８記載のシステム。
【請求項１０】
前記第２モードは、Ｇｅｎｅｒａｌ  Ｐａｃｋｅｔ  Ｒａｄｉｏ  Ｓｅｒｖｉｃｅ（ＧＰＲＳ）データ転送モードからなる，請求項９記載のシステム。
【請求項１１】
前記コントローラは、通信リンクを維持するための最小パワーレベルを確認し、移動通信装置により放射される無線周波電磁エネルギーのパワーが最小パワーレベル以下に低減されないようにする、請求項８から１０までのいずれか１項記載のシステム。
【請求項１２】
前記センサは、前記アンテナにより反射された無線周波電磁エネルギーのパワーを測定し、
前記アンテナにより反射された無線周波電磁エネルギーのパワーは、移動通信装置が身体に近接しているときには減少する、請求項８から１１までのいずれか１項記載のシステム。
【請求項１３】
前記センサは、前記アンテナにより反射された無線周波電磁エネルギーから反射係数を求め、
求められた反射係数は、移動通信装置が身体に近接しているとき、自由空間内での前記アンテナに対する所定の反射係数から偏差する、請求項８記載のシステム。
【請求項１４】
アンテナに対する求められた反射係数が、移動通信装置の送信バンド内で下限閾値反射係数より大であり、かつ、上限閾値反射係数より小であるとき、移動通信装置は身体に近接していないものと判定される、請求項１３記載のシステム。
【請求項１５】
移動通信装置のＳＡＲ値を制御するための方法であって、
移動通信装置が、身体の近傍で使用するのに適した第１のモード、及び身体の近傍で使用するのに適していない第２のモードで動作することができるようにした方法において、
移動通信装置が第１モード又は第２モードのいずれで動作しているのかを判定するステップと、
結合器によって、アンテナにより反射された無線周波電磁エネルギーの少なくとも一部を、所定の周波数バンド内の無線周波電磁エネルギーを検出するためのセンサに向け、該センサを使用して、身体の近傍においてアンテナにより反射された無線周波電磁エネルギーを測定することにより、移動通信装置が身体に近接していることを判定するステップと、
移動通信装置が第２モードにあり且つ身体に近接しているとき、移動通信装置の平均放射パワーを低減するステップ
とを有し、
該アンテナは、身体が存在しないときには離調されており、
該アンテナが身体に近接しているときには、反射した無線周波電磁エネルギーの量を変化させるために該アンテナのインピーダンスを変えることを特徴とする、移動通信装置のＳＡＲ値を制御するための方法。
【請求項１６】
さらに、通信リンクを維持するための最小パワーレベルを確認し、移動通信装置により放射される無線周波電磁エネルギーのパワーが前記最小パワーレベル以下に低減されないようにするステップを有する、請求項１５記載の方法。
【請求項１７】
反射された無線周波電磁エネルギーのパワーを測定し、移動通信装置が身体に近接しているとき、反射された無線周波電磁エネルギーのパワーが減少するようにした、請求項１５または１６記載の方法。
【請求項１８】
さらに、反射された無線周波電磁エネルギーから反射係数を求めるステップを有し、
移動通信装置が身体に近接しているとき、求められた反射係数が所定の反射係数から偏差するようにした、請求項１７記載の方法。
【請求項１９】
さらに、アンテナに対して求められた反射係数が、移動通信装置の送信バンド内で下限閾値反射係数より大であり、かつ、上限閾値より小であるときに、移動通信装置が身体に近接していないことを確認するステップを有する、請求項１８記載の方法。
【請求項２０】
身体の近傍で使用するのに適した第１のモード、及び身体の近傍で使用するのに適していない第２のモードで動作することができるよう構成された移動通信装置において、
移動通信装置が身体に近接しているとき検出するためのセンサアセンブリと、
移動通信装置による無線周波電磁エネルギーの放射を制御するためのコントローラとを有し、
前記センサアセンブリは、
所定の周波数バンド内の無線周波電磁エネルギーを検出するためのセンサと、
身体が存在しないときには離調されており、アンテナが身体に近接しているときには、反射した無線周波電磁エネルギーの量を変化させるために該アンテナのインピーダンスを変えることのできるアンテナと、
アンテナにより反射された無線周波電磁エネルギーの少なくとも一部をセンサに向けるための結合器とを有し、
身体への移動通信装置の近接は、身体の近傍においてアンテナにより反射された無線周波電磁エネルギーを測定することにより判定され、
該コントローラは、移動通信装置が第２モードにあり、かつ、前記センサアセンブリにより移動通信装置が身体に近接していることが検出されたとき、移動通信装置により放射される無線周波電磁エネルギーの平均パワー及び持続時間のうち少なくとも１つを低減することができる、ことを特徴とする移動通信装置。
【請求項２１】
前記第１モードは音声通信に適しており、前記第２モードはデータ通信に適している請求項２０記載の移動通信装置。
【請求項２２】
前記コントローラは、移動通信装置と第２の通信装置との間の通信リンクを維持するための最小パワーレベルを求め、移動通信装置により放射される無線周波電磁エネルギーのパワーが最小パワーレベル以下に低減されないようにする、請求項２０または２１記載の移動通信装置。
【請求項２３】
前記センサは、アンテナにより反射された無線周波電磁エネルギーのパワーを測定し、
アンテナにより反射された無線周波電磁エネルギーのパワーは、移動通信装置が身体に近接しているときには低減されている、請求項２０から２２までのいずれか１項記載の移動通信装置。
【請求項２４】
前記コントローラは、アンテナにより反射された無線周波電磁エネルギーから反射係数を求めるものであり、
求められた反射係数は、移動通信装置が身体に近接しているとき、自由空間内でのアンテナに対する所定の反射係数から偏差する、請求項２０から２３までのいずれか１項記載の移動通信装置。
【請求項２５】
求められた反射係数が、移動通信装置の送信バンド内で下限閾値反射係数より大であり、かつ、上限閾値反射係数より小であるとき、移動通信装置は身体に近接していないものと判定される、請求項２４記載の移動通信装置。
【発明の詳細な説明】
【０００１】
発明の背景
本発明は、一般に移動電話機等のような移動通信装置に関し、より詳しくは移動通信装置が身体に近接しているとき、その装置により放射される無線周波電磁エネルギーの平均パワーを制御することにより、移動通信装置の比吸収率（ＳＡＲ）を低減するためのシステム及び方法に関する。
【０００２】
今日一般に使用されているコンパクトな移動電話機は、基地局と呼ばれる固定設備と通信するため、無線周波電磁波を用いた無線トランシーバ（送信機と受信機との組合せ）を使用する。通常、それらの基地局は、移動電話の呼を所望のロケーションへ向ける中央交換機へとネットワークされている。現存のネットワークでは、各基地局は、移動電話機から受信した信号強度を測定できる。例えば移動通信装置が基地局に近く、受信した信号強度が強いと判定されたならば、基地局は、移動電話機に、より低いパワーの設定を利用するよう（すなわち放射されている無線周波電磁エネルギーのパワーを低減するよう）アドバイスすることができる。このようにして、移動電話機により消費される電池パワーがより少なくなり、より長い通話時間が許容される。
【０００３】
殊にマイクロ波周波数で、著しく高いレベルの無線周波電磁エネルギーに曝露されると、生体組織が加熱されて、体温を高め、行動異常を招き、生体組織が損傷する恐れのあることが知られている。従って、移動通信装置により引き起こされるような無線周波エネルギーの低レベルの、身体組織への影響に関して、精力的な科学的研究が行われている。移動通信装置により生じる比較的低いレベルの無線周波電磁エネルギーが身体組織に損傷を引き起こす恐れがあるという科学的証明はないが、多くのヨーロッパ規制機関及び米国連邦通信委員会（ＦＣＣ）のような多くの政府機関が、ユーザが、そのようなエネルギーに曝露されるのを制限することを狙いとした予防的規制及び測定ガイドラインを課している。
【０００４】
従って移動電話機は、市場に出される前に、そのような政府規制機関により課された最大加熱容量ガイドラインに従わなければならない。例えば、米国及びヨーロッパにおいて、電話機の比吸収率に関して、規定された無線周波被曝限界値の遵守を含めた種々の技術的規格を充足しなければならない。ＳＡＲは、電話機が身体の近くに位置しているとき、所定量の組織について平均化されたキログラム当たりのワット（Ｗ／Ｋｇ）で表される身体内に吸収される無線周波電磁エネルギーの広く受容された測定量である。
【０００５】
一般に、移動電話機のＳＡＲ値は、電話機の平均放射パワー、周波数（異なる周波数での異なるアンテナ特性及び身体組織の物質的特性の故に）及び電話機の幾何学的及び機械的構成に依存する。ＳＡＲ値は、身体組織と任意の放射構造との間の距離及び平均放射パワーにより最も影響を受ける。平均放射パワーは、用いられている通信規格に依存し、規格内で使用中のトラヒックモードに依存して変化し得る。こうして、例えば、移動通信グローバルシステムＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）移動電話機は、ＧＰＲＳ（Ｇｅｎｅｒａｌ  Ｐａｃｋｅｔ  Ｒａｄｉｏ  Ｓｅｒｖｉｃｅ）データ転送モードにおける異なった数の使用タイムスロット、及び、使用タイムスロットにおけるピークパワーに関しての異なるパワーレベル設定に基づき異なる平均放射パワーレベルを有する。
【０００６】
移動電話機のＳＡＲ値を低減するため使用される現存のコンセプトは、３つの着想に基づいている。すなわち、移動電話機に反射性シールディングを加えること、電話機のアンテナと身体との間に距離を設けること、電話機ハウジング内に吸収材を組み込むことにより電話機の放射パワーを低減することに基づいている。しかしこれらのコンセプトは、移動電話機の動作モードの違いの原因となるものではない。更に、それらのコンセプトは、移動電話機の設計に対して、又は、移動電話機と基地局との間の通信リンクの品質に対して不都合な衝撃的悪影響を与える。例えば、電話機のアンテナと身体との間に距離を設けることは、移動電話機が極めてコンパクトであるべきという通常の要求に反する。さらに、反射装置は、身体が存在しないような状況においても、シールドの方向でいかなる無線周波リンクをも遮断する（例えば移動電話機がモデムとして使用されている場合）。そのような装置は、さらにユーザが電話機の配向を変えた場合、成立しているリンクを維持する電話機の能力を低減する。同様に、吸収装置は、電話機の利用可能なエネルギーを低減し、移動電話機を使用できるエリヤを制限する（すなわち電話機のサービスエリヤを低減する）。
【０００７】
従って、すべてのモードにおいて、移動電話機のＳＡＲ値を低下すると共に、電話機の機械的設計への衝撃的悪影響を制限し、必要な場合最大の利用可能な放射パワーを供給し、劣悪な環境において良好な通信リンクを提供するシステム及び方法の全般的必要性がある（例えば、移動電話機と基地局との間に大きな距離が存在する建物内など）。
【０００８】
発明の要約
従って本発明は、移動通信装置が身体に近接しているとき、移動通信装置によって放射される無線周波電磁エネルギーの平均パワーを制御することにより、移動通信装置の比吸収率（ＳＡＲ）を低減するためのシステム及び方法に関する。
【０００９】
本発明は、その１つの特定的な実施形態によれば、移動通信装置により放射される無線周波電磁エネルギーの平均パワー及び持続時間を制御するためのシステムを提供する。このシステムは、移動通信装置がいつ身体に近接しているかを検出するためのセンサアセンブリ及び、移動通信装置による無線周波電磁エネルギーの放射を制御するためのコントローラを有する。コントローラは、移動通信装置が身体に近接していることをセンサアセンブリが検出したとき、移動通信装置により放射される無線周波電磁エネルギーの平均パワー及び持続時間のうち少なくとも１つを低減できるものである。
【００１０】
本発明の別の特定的な実施形態によれば、移動通信装置により放射される無線周波電磁エネルギーの平均パワーを制御するためのシステムを提供する。移動通信装置は、身体近傍で使用するのに適する第１のモード、及び身体の近傍で使用するのに適していない第２のモードで動作することができる。このシステムは、移動通信装置がいつ身体に近接しているかを検出するためのセンサアセンブリ及び、移動通信装置による無線周波電磁エネルギーの放射を制御するためのコントローラを有する。コントローラは、移動通信装置が第２モードにあり、移動通信装置が身体に近接していることをセンサアセンブリが検出したとき、移動通信装置により放射される無線周波電磁エネルギーの平均パワーを低減できる。
【００１１】
本発明は、それのさらに別の実施形態によれば、移動通信装置のＳＡＲ値を制御するための方法であって、移動通信装置は、身体近傍で使用するのに適する第１のモード、及び身体の近傍で使用するのに適していない第２のモードで動作することができるようにした方法を提供する。この方法は、移動通信装置が第１又は第２モードに動作しているかを判定するステップと、移動通信装置がいつ身体に近接しているかを検出するステップと、移動通信装置が第２モードにあり、身体に近接しているとき、移動通信装置の平均放射パワーを低減するステップを有する。
【００１２】
本発明は、それのなおさらに別の実施形態によれば移動通信装置であって、身体の近傍で使用するのに適する第１のモード、及び身体の近傍で使用するのに適していない第２のモードで動作することができるよう構成されている移動通信装置を提供する。この移動通信装置は、それがいつ身体に近接しているかを検出するためのセンサアセンブリと、移動通信装置による無線周波電磁エネルギーの放射を制御するためのコントローラを有する。コントローラは、移動通信装置が第２モードにあり、動通信装置が身体に近接していることをセンサアセンブリが検出したとき、移動通信装置により放射される無線周波電磁エネルギーの平均パワー及び持続時間のうち少なくとも１つを低減できる。
【００１３】
先になされた全般的説明及び以降の詳細な説明は、例示的及び説明的なものに過ぎず、クレームされた本発明を制限するものではない。本発明の明細書の部分中に組み込まれ、その一部を成す添付の図面は、本発明の実施形態を図解し、そして、全般的記載と共に本発明の原理を説明するのに有用なものである。
【００１４】
発明の詳細な説明
本発明の第１の側面において、移動通信装置により放射される無線周波電磁エネルギーの平均パワーを制御するためのシステムが提供される。このシステムは、移動通信装置により放射される無線周波電磁エネルギーの放射を制御するためのコントローラ及び移動通信装置がいつ人体、動物の身体などに近接しているかを検出するためのセンサアセンブリを有する。コントローラは、移動通信装置が身体に近接していることをセンサアセンブリが検出したとき、移動通信装置により放射される無線周波電磁エネルギーのパワー（又は持続時間）を低減することができる。移動通信装置が身体に近接しているとき、移動通信装置の平均放射パワーを低減することにより、装置に対するＳＡＲ値は、そのような低減が必要ならば低減される。
【００１５】
本発明の実施例の例示的形態において、移動通信装置は、多重モードで動作できる。この多重モードは、身体近傍で装置を使用するのに適した少なくとも１つのモードと、パワーが低減されない場合には放射される無線周波電磁エネルギーのパワーのゆえに身体近傍で装置を使用するには適さない少なくとも１つのモードとを有する。そのような実施形態では、通常では身体近傍での装置の使用に適さないモードにおいて、その装置が動作している場合のみ、身体の近接に基づきコントローラは、移動通信装置の平均放射パワーを低減できる。
【００１６】
本発明の第２の側面において、移動通信装置により放射される無線周波電磁エネルギーの平均パワーを制御することにより、移動通信装置のＳＡＲ値を制御するための方法が提供される。この方法は、その実施例の例示的形態において、移動通信装置がいつ身体に近接しているかを検出するステップと、移動通信装置が身体に近接しているとき、装置の平均放射パワーを低減するステップを含む。移動通信装置が、身体近傍で装置を使用するのに適した第１モード及び身体近傍装置をで使用するのに適さない第２モードにおいて動作することができる実施形態において、この方法はさらに、移動通信装置が第１又は第２モードで動作しているかどうかを判定するステップを含むことができ、ここで、装置が第２モードにおいて動作しており、そして、身体に近接している場合のみ移動通信装置の放射パワーを低減できる。
【００１７】
次に本発明の目下有利な実施形態を詳細に参照し、その事例を添付図面中に図解する。
【００１８】
図１は、移動通信装置が身体に近接しているとき、この移動通信装置により放射される無線周波電磁エネルギーの平均パワーを低減するためのシステム１１０を使用する移動通信装置１００、殊にコンパクトな移動電話機等を示す。システム１１０は、移動通信装置１００がいつ身体に近接しているかを検出するためのセンサアセンブリ１１２を有する。システムは更に、コントローラ１１４を有し、このコントローラ１１４は、パワーアンプ１１６により発生された後アンテナ１１８により放射される無線周波電磁エネルギーのパワーを調節することにより移動通信装置１００の放射エネルギーを制御する。本発明によれば、コントローラ１１４は、移動通信装置が身体に近接していることをセンサアセンブリが検出したとき（パワーアンプ１０６により発生され、アンテナ１１８により放射される無線周波電磁エネルギーのパワーを低減することにより、又は、エネルギーが放射される時間長を低減することにより、すなわち、無線周波電磁エネルギーの持続時間を低減することにより）移動通信装置１００の平均放射パワーを低減することができる。有利には、移動通信装置１００が身体にもはや近接していないことをセンサアセンブリ１１２が検出すると、パワーを再び増大するようにしてもよい。
【００１９】
図１に示す実施例において、センサアセンブリ１１２は、移動通信装置１００の近傍に身体が存在していることを指示するため、信号（“ＨＵＭＡＮ  ＢＯＤＹ  ＰＲＯＸＩＭＩＴＹ  ＳＩＧＮＡＬ”）１２０を送出する。コントローラ１１４は、人体近接信号１２０を移動通信装置の放射パワーを表す情報と共に利用し、装置により放射されるエネルギーのパワー又は持続時間の低減が必要か否か、そして必要な場合には、どの程度まで必要かを判定する。このようにして、システム１１０は、移動通信装置１００のパワーレベルを連続的に監視及び調節するので、放射される無線周波電磁エネルギーのパワーのゆえに装置が許容ＳＡＲ限界値（例えば政府規制機関、消費者グループ等により課せられるような）に違反するようなことは、決して起こらない。
【００２０】
本発明の実施例において、移動通信装置１００は、多重モードにおいて動作を行うことができ、それらの多重モードに含まれる少なくとも１つのモードでは、装置は身体の近傍で使用するのに適しており、またそれらの多重モードに含まれる少なくとも１つのモードでは、通常放射される無線周波電磁エネルギーのパワーのゆえに装置は身体近傍で使用するのに適していない。例えば、１つの実施形態において、移動通信装置１００は、次のような適当なエアインターフェース規格を使用した移動電話機から成ることができる。すなわち、Ｇｌｏｂａｌ  Ｓｙｓｔｅｍ  ｆｏｒ  Ｍｏｂｉｌｅ  Ｔｅｌｅｃｏｍｍｕｎｉｃａｔｉｏｎｓ（ＧＳＭ）エアインターフェース規格、ｅｎｈａｎｃｅｄ  Ｇｌｏｂａｌ  Ｓｙｓｔｅｍ  ｆｏｒ  Ｍｏｂｉｌｅ  Ｔｅｌｅｃｏｍｍｕｎｉｃａｔｉｏｎｓ（ＥＧＳＭ）エアインターフェース規格、個人向け通信システムＰｅｒｓｏｎａｌ  Ｃｏｍｍｕｎｉｃａｔｉｏｎ  Ｓｙｓｔｅｍ(ＰＣＳ) エアインターフェース規格、又はＴｅｌｅｃｏｍｍｕｎｉｃａｔｉｏｎｓ  Ｉｎｄｕｓｔｒｙ  Ａｓｓｏｃｉａｔｉｏｎ／Ｅｌｅｃｔｒｏｎｉｃｓ  Ｉｎｄｕｓｔｒｙ  Ａｌｌｉａｎｃｅ  Ｉｎｔｅｒｉｍ  Ｓｔａｎｄａｒｄ  １３６（１Ｓ−１３６）Ｔｉｍｅ  Ｄｉｖｉｓｉｏｎ  Ｍｕｌｔｉｐｌｅ  Ａｃｃｅｓｓ（ＴＤＭＡ）エアインターフェース規格、当該のエアインターフェース規格。当該のエアインターフェース規格は、Ｇｒｏｂａｌ  Ｐａｃｋｅｔ  Ｒａｄｉｏ  Ｓｅｒｖｉｃｅ(ＧＰＲＳ)等のようなデータ転送業務等をサポートできる。このような実施形態において、移動通信装置１００は、音声情報の通話に適する第１のトラヒックモード（例えば“通話モード”）及びデータの通信に適する第２のトラヒックモード（例えば“データ伝送モード”）で動作することができる。例えば、ＥＧＳＭエアインターフェース規格を使用する例示的な移動通信装置１００は、アップリンク（Ｔｘ）用の８８０〜９１５ＭＨｚの無線周波スペクトルバンド及びダウンリンク（Ｒｘ）用の９２５〜９６０ＭＨｚのバンドを使用できる。ＥＧＳＭエアインターフェース規格は、時分割及び周波数分割多重アクセス（ＴＤＭＡ／ＦＤＭＡ）技術の組合せを使用し、ここで、トータルで３５ＭＨｚ帯域幅の周波数が、各々２００ＫＨｚ帯域幅の１７４搬送周波数に分割される。更に、それらの搬送周波数は、ＴＤＭＡスキームを使用して、８つのタイムスロットに時分割される。音声通信のため、移動通信装置が通話モードにおかれている場合、１つのタイムスロットが装置による送信（Ｔｘ）のため使用され、そして、１つが受信（Ｒｘ）のため使用される。それらのタイムスロットは、時間的に分離され、その結果移動通信装置１００は同時に送受信することはない。データ転送モードにあるとき、移動通信装置は、種々のデータ伝送アプリケーションにおいて使用できる。例えば、移動通信装置は、ポータブルコンピュータ用のワイヤレスモデムとして、又はインターネット等のようなネットワークをアクセスするための装置として使用することができる。従って、使用されたデータ転送サービス（例えば、ＧＰＲＳ）は、付加タイムスロットが、より高いデータ転送レートを達成するため、データ転送向けに専用に使用���れることを許容する。例えば、ＧＰＲＳを利用して、毎秒１７１．２キロビット（ｋｂｐｓ）までの理論上最大のデータ転送速度を、同時にすべての８つのＴＤＭＡタイムスロットを使用して達成できる。
【００２１】
移動通信装置１００が通話モードにある場合、放射される無線周波エネルギーのパワーが制限されるので、装置を“通話”位置においてユーザの耳、頬及び口に引き寄せることができる。しかし、移動通信装置１００がデータ転送モードにある場合、１つより多くのタイムスロットを使用してデータの転送のため十分な通信リンクを提供するよう放射される無線周波電磁エネルギーの平均パワーを増大することが望ましい。通常そのようなデータ転送モードにおいて移動通信装置１００をユーザの身体（又は他の人もしくは動物の体）から離して置かれる。例えば、移動通信装置１００がポータブルコンピュータ用のワイヤレスモデムとして利用される場合、装置は、ユーザのすぐ近くのシート又は椅子に、コンピュータに隣接するテーブルトップ上に置かれる。それでも時々データ転送モードにあるとき、移動通信装置１００を、誤って、身体に近接したところに置くことがあり、（例えば装置がコールをするための通話位置に置かれ）その結果おそらく、高いパワーで放射される無線周波電磁エネルギーに身体が曝露されることが起こり得る。このような曝露は、移動通信装置１００のＳＡＲ値が所定の限界値を越えて増大させかねない。
【００２２】
そのような場合、コントローラ１１４は、身体近傍での装置の使用に通常は適さないモードで装置が動作しているときにのみ、身体の近接に基づく移動通信装置の平均放射パワーを低減する。このようにして、装置の周りのユーザ又は他の人が高周波（マイクロ波）の放射に不要に曝露されるのを阻止するのに必要なときだけ、移動通信装置の平均放射パワーが選択的に低減される。
【００２３】
図１に示すように、トラヒックモード信号１２２（“ＴＲＡＦＦＩＣ  ＭＯＤＥ：ＭＯＲＥ  ＴＩＭＥＳＬＯＴＳ”）は、移動通信装置１００によりシステム１１０に供給される。トラヒックモード信号１２２は、そこで移動通信装置１００が動作しているトラヒックモードを表す。例えば、移動通信装置１００が、ＧＳＭ、ＥＧＳＭ又はＧＰＲＳデータ転送プロトコルを利用したIＳ−１３６ＴＤＭＡインターフェース規格を使用する本発明の実施形態において、トラヒックモード信号１２２は、所要のデータレートに使用されるべきタイムスロットの数を指示してよい。通話モードにおいて、移動通信装置１００は、音声情報を伝送するか、又は代替的に、データ情報を低いデータ伝送速度（例えばショートメッセージサービス(ＳＭＳ)データ等）で単一のタイムスロットを利用して伝送している。データ伝送モードにおいて、移動通信装置１００は、より高いデータ伝送速度でデータ情報の伝送のため付加的タイムスロットを使用できる（例えば移動通信装置は、ｅメール、インターネットブラウジング等に対するワイヤレスモデムとして利用されている）。付加的ＴＤＭＡタイムスロットを利用したデータ情報の伝送により、移動通信装置１００により放射される無線周波電磁エネルギーの平均パワーの増大が得られる。
【００２４】
信号（“ＲＥＱＵＩＲＥＤ  ＰＯＷＥＲ  ＬＥＶＥＬ  ＳＥＴＴＩＮＧ”）１２４を、また、移動通信装置１００によりシステム１１０に供給することができる。図示の例示的実施形態において、所要パワーレベル設定信号１２４は、基地局との通信リンクの維持に十分な信号強度を与えるのに必要な無線周波電磁エネルギーのパワーを表す。コントローラ１１４は、移動通信装置１００の現在パワーレベル（すなわち、パワーアンプ１１６により発生されている無線周波電磁エネルギーのパワー）を求めるためその信号を利用する。このパワーレベルは、通常通信リンクを維持し、不要な妨害を回避し、また、装置の電池パワーを保存し、それにより通話時間を増大させるため、移動通信装置１００の出力パワーを最も低い可能なレベルに設定するよう基地局により指令される。
【００２５】
図示の実施例において、システム１１０は、現在パワーレベル及び設定されたアクティブなトラヒックモードについての情報と共に、センサアセンブリ１１２により送出される人体近接信号１２０、トラヒックモード信号１２２及び所要のパワーレベル設定信号１２４を利用して、移動通信装置１００の平均パワーレベルを確認し、そのパワーレベルでのパワーレベル又は持続時間の低減が必要であるか否か、そしてまたどの程度まで必要であるかを判定する。このようにして、移動通信装置１００により放射される無線周波電磁エネルギーの平均パワーが必要なときだけ低減される（すなわち、身体が移動通信装置１００のアンテナ１１８に近接しており、そして、身体から装置を離すのが望ましいパワーレベルで装置が動作している場合）。こうして装置の通常の機能に対し、最小の衝撃的悪影響で、ＳＡＲ限界値に違反するのを回避するため移動通信装置１００の平均パワーレベルを調節することが可能になる。
【００２６】
図１に示すように、コントローラ１１４には、人体近接信号１２０、トラヒックモード信号１２２及びパワーレベル設定信号１２４が供給される。コントローラ１１４は、移動通信装置１００のパワーの低減が必要なときに判定を行うためそれらの信号を使用する。例えば、実施例の例示的形態において、次のような場合、移動通信装置１００により放射される平均パワーの低減のようなアクションが必要とされる、すなわち、所要パワーレベル設定信号１２４により指示されるように、装置により放射されるパワーに関して、移動通信装置１００が身体に近接していることを人体近接信号１２０が指示している場合、そして使用されているタイムスロットの数について、トラヒックモード信号１２２により与えられる情報が、放射されるパワーにより装置が身体近傍での使用に適さなくなってしまうことが予期されることを示している場合、そのような平均パワーの低減といったアクションが必要とされる。しかし、以下のような場合には、何らのアクションも必要でない、すなわち、人体近接信号１２０が移動通信装置に近接していないことを示している場合、又はトラヒックモード信号１２２が、装置が通話モード（すなわち、唯１つのＴＤＭＡタイムスロットが伝送中利用される）にあることを示している場合、又は、択一的に、放射されているパワーが十分低く、装置が身体近傍で使用するのに適することを所要のパワー設定信号１２４によりしめされるようなデータ伝送モードにあることを示している場合、何らのアクションも必要でない。
【００２７】
コントローラ１１４は、これが移動通信装置１００の平均パワーの低減が必要であることを判定した場合、それに従ってパワーアンプＩ１６により発生される無線周波電磁エネルギーのパワーを低減することにより、パワーレベルの低減を実行する。実施例において、コントローラ１１４は、移動通信装置１００により放射されている無線周波電磁エネルギーの平均パワーが装置においてＳＡＲ限界値を越えさせないようなレベルに、各タイムスロット中発射されるパワーをステップダウンするとよい。移動通信装置がＧＳＭエアインターフェースを利用する実施形態においてパワーレベルを、２ｄＢのステップ高さを有するインクリメントで、装置に対するピークパワーから１３ｄＢの最小値（２０ｍＷ）までステップダウンできる。
【００２８】
コントローラ１１４は、更に移動通信装置１００により与えられる所要のパワーレベル設定信号１２４に基づき可能なパワーレベルの低減の程度を求めることができる。移動通信装置１００が許容ＳＡＲ限界値を越えさせるのを回避するのに必要なパワーレベルの低減によりパワーレベルが適当な信号強度を維持するのに必要な所要のパワーレベル以下に低下することがあれば、コントローラ１１４は、パワーレベルを必要に応じて更に低減する前に、政府規制規定により許容されるならば、限られた時間中適当な信号強度を維持するのに必要なポイントまでパワーを低減させることができる。そのような状況において、コントローラ１１４は、多重タイムスロットの使用を阻止することにより、無線周波電磁エネルギーの持続時間を制限するか、又は移動通信装置１００により使用されているタイムスロットの数を低減できる。コントローラ１１４は、さらにユーザに警報を出すことができる（例えば、警報を、移動通信装置のディスプレイ等上にディスプレイさせることにより）。このようにして、移動通信装置に対するＳＡＲ値の全体的低減を、通信リンクの完全性を損なわずに達成できる。代替的に、コントローラ１１４は、平均パワーを必要なように低減し、その場合、通信リンクが開放される恐れのある信号強度にもかかわらず、許容ＳＡＲ値を達成するものである。
【００２９】
図２を参照すると、センサアセンブリの事例１１２を説明する。身体のような損失のある誘電体に近接して使用される場合、移動通信装置のアンテナは、インピーダンス及び反射されたエネルギーの量に関してそれの無線周波特性を変化する。本発明の実施形態において、センサアセンブリ１１２は、所定の周波数バンド内で、ことに、システム１１０を使用する移動通信装置１００の送信バンド（Ｔｘ）内でアンテナにより反射される無線周波電磁エネルギーのパワーを測定することにより身体の存在を検出する。こうして、要するに、センサアセンブリ１１２は、装置のＳＡＲ値により表される放射された無線周波電磁エネルギーの損失を含めた、身体とアンテナとの間の相互作用の大きさを測定する。
【００３０】
図２に示す実施例において、センサアセンブリ１１２は、移動通信装置１００のアンテナ１１８、多重無線周波（ＲＦ）ポートを有する方向性結合器１２６（４つのＲＦポート１２８，１３０，１３２，１３４を有する方向性結合器１２６が示されている）及び、所定の周波数バンド（移動通信装置１００の送信バンド（Ｔｘ））内の無線周波電磁エネルギーを検出するための少なくとも１つの検出器又はパワーセンサ１３６を有する。アンテナ１１８の附近において空気とは別の媒体（例えば身体の部分）が存在すると、それのインピーダンスとそれにより所定の周波数レベル内でのアンテナ１１８自体により反射されたエネルギーの量とが変えられる。方向性結合器１２６を使用すると、反射されたエネルギーの一部が、ＲＦポート１３４において、パワーセンサ１３６に供給可能になる。パワーセンサ１３６は、そのエネルギーを検出し、それに応答して、人体近接信号（“ＨＵＭＡＮ  ＢＯＤＹ  ＰＲＯＸＩＭＩＴＹ  ＳＩＧＮＡＬ”）を、反射された無線周波電磁エネルギーのパワーに基づき移動通信装置１００の近傍での身体の存在又は不存在を指示するため発生する。
【００３１】
１つの実施形態において、アンテナ１１８は、わずかに離調され、その結果自由空間環境に完全には整合しない。装置が身体の一部などのような損失のある誘電体に近接しているとき、アンテナ１１８は、所定の周波数バンド（移動通信装置１００の送信バンド（Ｔｘ））内でより少ない無線周波電磁エネルギーが反射するように離調されるのが望ましい。こうして周波数バンド内でアンテナ１１８により反射された無線周波電磁エネルギーのパワーが欠除したり、又は、低減することは、移動通信装置１００の近傍に身体の存在することを指示する。
【００３２】
図３は、移動通信装置１００にすぐ近接している身体を表す小信号等価回路を示す。ここでアンテナは離調している。等価回路は、抵抗ＲＡＮＴ，キャパシタＣＡＮＴ及びインダクタＬＡＮＴから成り、それらは、アンテナの共振周波をモデリングする。通常、移動通信装置１００のアンテナ１１８は、パワーアンプ１１６（図１）に整合するため、ほぼ５０Ωでそのインピーダンスの実部に到達するよう設計されている。身体の一部（例えばユーザの頭部）が存在することは、キャパシタＣＢＯＤＹ及び抵抗ＲＢＯＤＹにより表される損失のある付加的キャパシタにより近似することができる。そのような損失のあるキャパシタンスを考慮することにより、アンテナ１１８を、適当な抵抗ＲＡＮＴを選択して離調できる。その結果、アンテナ１１８は、損失のある誘電体（例えば、人体、動物の身体等）に近接している場合のみアンテナポートにおいて、５０Ωでそれのインピーダンスの実部に到達する。
【００３３】
理解されるように、移動通信装置のアンテナを離調することにより、一般に装置の全体的な無線周波（ＲＦ）性能が低減される。しかし、使用されるアンテナパラメータの許容誤差及びパワーセンサの精度に依存して、ＥＧＳＭエアインターフェースを使用する例示的移動通信装置１００のアンテナ１１８を離調し、その結果、アンテナの反射係数（“｜Ｓ１１｜”）が、ほぼ０．６ｄＢまでのわずかな性能低減で、−１２ｄＢ（図４参照）でなく−７．５ｄＢのレンジ内にあるようにできることが判明した。そのような低減された性能は、放射されたエミッションに対して測定できる劣化の最小の限度に近づき、こうして、実際上のアプリケーションにおいてほぼ無視できる。従って、移動通信装置１００のアンテナ１１８を、装置の性能に対してほとんど衝撃的悪影響を及ぼさないように、センサアセンブリ１１２に使用するため十分に離調できる。
【００３４】
代替的に、コントローラ１１４（図２）は、アンテナ１１８に対するより正確な反射係数｜Ｓ１１｜を求めることができる。このことは、精度を改善するため、無線周波送信レベルを得るべく、他の制御信号のうちの1つ（所要のパワーレベル設定のような）を使用して、又は、他の結合器ポート１３２で付加的なパワーセンサ（図２中図示せず）で測定することにより行うことができる。その際コントローラ１１４は、求められた反射係数｜Ｓ１１｜を、自由空間内のアンテナ１１８に対する予期される反射係数と比較できる。求められた反射係数｜Ｓ１１｜が、自由空間内のアンテナ内に対する反射係数と十分偏差がある場合、コントローラは、移動通信装置１００が身体に近接していると判定できる。そのような実施形態において、アンテナ１１８に対する求められた反射係数｜Ｓ１１｜のレンジを、アンテナ１１８が身体に近接していない場合の移動通信装置１００の送信バンド（Ｔｘ）内に規定することが必要である。この求められた反射係数｜Ｓ１１｜のレンジは、下限閾値反射係数｜Ｓ１１｜及び上限閾値反射係数｜Ｓ１１｜により境界付けられる。例えば、図５において、１つの移動電話機アンテナの例が電話機位置の相異なる位置（すなわち、自由空間内で通話位置内に保持、身体位置内に保持、テーブル上に載置）に対して示してある。陰影のついた領域で示されているように、アンテナが身体に近接していないと安全に想定されている場合の移動通信装置に対する反射係数｜Ｓ１１｜のレンジは、−１２ｄＢの下限閾値反射係数｜Ｓ１１｜及び−８ｄＢの上限閾値反射係数｜Ｓ１１｜により境界付けられる。このレンジ内に入るため求められた反射係数｜Ｓ１１｜は、身体が通信装置に近接していないことを指示し、一方、そのレンジ外にあるいずれの求められた反射係数｜Ｓ１１｜も身体が装置に近接していることを指示する。
【００３５】
移動通信装置１００（図１及び図２）は、ユーザにより通話位置に持ち上げられたとき（すなわち、装置がユーザの頭部の耳、頬、及び口に引き寄せたとき）そして、身体にすぐ隣接して、接触しているとき（例えば、装置１００がユーザの膝におかれる身体の位置に保持され、ユーザのベルトに付けられ、ユーザの着衣のポケット内にいれられているとき）身体に近接していると検出されるものである。しかし、身体の望まない放射曝露を防止するため身体から移動通信装置１００を離しておかなければならない距離は、装置のパワー及び周波数に依存し、そして、利用されるエアインターフェース規格及び装置の所定の設計要求に依存して変化する。こうして、身体に触れてない場合、又は、すぐには隣接していないとき、人体近接信号１２０が発生される場合、それだけ離れている移動通信装置１００が身体に近接していると考えられる距離は、それに応じて変化する。
【００３６】
身体の近接を検出するため移動通信装置１００のアンテナ１１８を使用しないセンサ技術を使用したセンサアセンブリ１１２を利用できることは、当業者に明らかである。例えば、図１に示すセンサアセンブリ１１２は、代わりに、本発明の範囲及び精神から逸脱することなく、熱的又は光学的検出技術を使用できる。しかし、ここに説明した検出技術は有利である、それというのは、反射された無線周波エネルギーを測定することにより、装置のＳＡＲ値により表される損失を含めて身体との相互作用を間接的に測定するからである。こうして移動通信装置が身体に近接すると高められる装置のＳＡＲ値は、より容易に検出できる。さらに、センサアセンブリが無線周波放射を使用して身体を検出するので、移動通信装置１００の配向にかかわらず、身体の近接を検出できる（例えば、装置がユーザの膝におかれるか、又はユーザの着衣のポケットに置かれる）。さらに、移動通信装置１００の既存のコンポーネント（例えばアンテナ）を利用することにより、移動通信装置１００において本発明のシステム１００を組込むことが簡単化される。
【００３７】
図６を参照して、装置が身体に近接した場合、装置により放射される無線周波電磁エネルギーの平均パワーを制御することにより、移動通信装置のＳＡＲ値を制御するための方法２００を説明する。実施例中、移動通信装置は、装置が身体の近傍で使用するのに適した少なくとも１つのモードと、通常放射される無線周波電磁エネルギーに基づき、身体の近傍で使用するのに適していない少なくとも１つのモードを含めた多重モードで動作することができる。例えば、図１に示すように、移動通信装置は、音声情報の通信に適する第１のトラヒックモード（例えば“通話モード”）及び、データ通信に適する第２のトラヒックモード（例えば“データ伝送モード”）で動作できる。通話モードにおいて、移動通信装置は、音声情報、又は、代替的に、データ情報（例えばショートメッセージサービス(ＳＭＳ)データ等）を単一のタイムスロットを利用した低いデータ伝送速度で伝送できる。データ伝送モードにおいて、移動通信装置は、これにより放射される無線周波電磁エネルギーの平均パワーを増大させて、より高いデータ伝送速度で、データ情報の伝送のため付加的タイムスロットを使用できる。
【００３８】
図６に示すように、ステップ２０２において、装置が身体に近接しているか否かの判定が行われる。同様に、ステップ２０４において、どのようなトラヒックモードが要求されているか（すなわち、幾つのタイムスロットが使用されているか）に関して、そして、ステップ２０６においてどのようなパワーレベル設定が必要とされているかについて判定が行われる。その際、それらの判定の結果は、ステップ２０８において、移動通信装置のＳＡＲ値を制限するためのアクションが必要であるか否かを確認して調べるため利用される。実施例において、次のような場合アクションはとられない、すなわち、移動通信装置が身体に近接していないと判定された場合、又は、装置が通話モードにあると判定された場合（唯１つのＴＤＭＡタイムスロットが伝送中使用される）または、代替的に、放射されるパワーが十分低くその結果装置が身体近傍で使用するのに適しているデータ伝送モードにあるものと判定された場合アクションは必要とされない。しかし、移動通信装置１００が身体に近接していると判定され、装置が、伝送の期間中２つ以上のタイムスロットを使用し得るデータ伝送モードにあると判定され、そして、所要のパワーレベルが身体近傍で装置を使用するのに不適であると予期できる場合ステップ２０８において、アクションが必要であると判定される。そのときステップ２１０において、適当なアクションをとることができる。例えば、移動通信装置の平均パワーレベルの低減を行うことができる。例示的実施形態において、使用される１つのタイムスロット内のパワーレベルを次のようなレベルにステップダウンできる、すなわち、移動通信装置により放射される無線周波電磁エネルギーの平均パワーが装置に所定のＳＡＲ限界値を越えさせないようなレベルにステップダウンできる。移動通信装置を身体の近傍外に取り外した場合、必要ならばパワーを再び増大できる。
【００３９】
移動通信装置において、許容ＳＡＲ限界値を越えさせるのを回避するのに必要なパワーレベルの低減により、パワーレベルが、適当な信号強度を維持するのに必要な所要パワーレベル以下に低減されれば、ステップ２１０において、パワーレベルを、たんに適当な信号強度を維持するのに必要なポイントまで低減できる。そのような状況において、移動通信装置が多重タイムスロットを使用しないようにすることができる。さらに、ユーザに警報を与えることができる（たとえば、移動通信装置のディスプレイ等上にディスプレイできる）。このようにしてデータ通信の不要な中断をせずに、移動通信装置に対するＳＡＲ値に関連づけて、総合的低減が達成される。代替的にパワーレベルを、その場合通信リンクを開放できる信号強度に拘わらず必要なように低減できる。このようにして、移動通信装置のＳＡＲ値を、政府機関、消費者グループ等により課せられる所要ＳＡＲ値を充足するよう必要に応じて低減できる。
【００４０】
実施例において、センサアセンブリ１１２（図１）のようなセンサにより提供される人体近接信号を、移動通信装置の現在パワーレベル及びアクティブなトラヒックモードについての情報と共に、装置の平均パワーレベルを確認するため調べるため、及びステップ２０８において、パワーレベルの低減が必要かどうか、そして、どの程度まで必要であるかを判定するため使用できる。このようにして、移動通信装置により放射される無線周波電磁エネルギーの平均パワーが必要な場合のみ低減される（すなわち、身体が移動通信装置のアンテナに近接しており、装置が、身体からの装置の分離が望ましいパワーレベルにおかれている場合）。こうして、データの通信を行わせる装置の能力に実質的な衝撃的悪影響を及ぼすことなく、装置に対するＳＡＲ限界値の違反を避けるため移動通信装置のパワーレベルを調節することが可能である。
【００４１】
図７を参照して、身体の近接を検出するための方法３００を説明する。図示の実施例中、装置からの無線周波伝送の際、アンテナにより反射された無線周波電磁エネルギーが、ステップ３０２において、例えば、センサアセンブリ１１２（図２）のようなセンサアセンブリによりサンプリングされる。次いで、反射されたエネルギーがステップ３０４において測定され、そして、ステップ３０６において、移動通信装置が身体に近接しているか否かの判定がなされる。その際この判定の結果は、ステップ３０８において、移動通信装置のパワーレベルを制御するため、現在トラヒックモードについての情報及び所要のパワーレベルと組み合わせて利用される。
【００４２】
本発明の実施例の例示的形態において、反射係数｜Ｓ１１｜が反射された無線周波電磁エネルギーから計算される（図４及び図５）。その場合、その反射係数｜Ｓ１１｜が、自由空間内の移動通信装置に対する所定の反射から偏差を有しているかの判定を行うことができ、そのような偏差は、身体への近接を指示する。例えば１つの実施形態において、身体が存在しない場合は、アンテナは離調される。計算された反射係数｜Ｓ１１｜が所定の閾値反射係数以下に低下されると、身体への移動通信装置の近接が起こっていると判定される。代替的に、アンテナは離調されない。移動通信装置が身体に近接してない場合における反射係数｜Ｓ１１｜のレンジは、装置のアンテナに対して、装置の送信バンド（Ｔｘ）内に規定される。このレンジは、下限の限界値反射係数及び上限閾値反射係数により境界付けられる。こうして、アンテナに対する求められた反射係数｜Ｓ１１｜が下限閾値反射係数より大であり、そして上限閾値反射係数より小である場合、移動通信装置は、身体に近接していないことが確認するため調べる。他のすべての求められた反射係数｜Ｓ１１｜は、身体への近接を指示する。
【００４３】
本発明をある程度特定的に説明したが、それの要素を当業者により、本発明の範囲で精神から逸脱することなく変更できるものであることを認識すべきである。図６及び図７において示す方法２００及び３００におけるステップの所定の順序又は階層構造は、それぞれ例示的アプローチの事例である。選択的設計に基づき、それらの方法の所定の順序又は、階層構造を、本発明の範囲内にとどまりながら再アレンジすることができる。添付の方法クレームは、方法２００及び３００の種々のステップの要素を１つのサンプルオーダで提示するものであり、提示された所定のオーダ又は階層構造に限定するものではない。本発明の特徴及びそれに付随する利点の多くが先になされた記載により理解され、コンポーネントの形態、構成及び配置について種々の変更を、本発明の範囲及び精神から逸脱することなく、又はその重要な利点を犠牲にすることなく行うことができることは明らかである。前述の形態は単に説明目的での実施形態であり、そのような変更を包括し、包含することが特許請求の範囲の主旨である。
【図面の簡単な説明】
【図１】  本発明の実施例の例示的形態に従って、移動通信装置が身体に近接しているとき、装置により放射される無線周波電磁エネルギーの平均パワーを低減することにより、移動通信装置のＳＡＲ値を低減するためのシステムを示すブロックダイヤグラムである。
【図２】  移動通信装置のアンテナを身体への装置の近接を検出するための使用する図１に示すシステムの例示的センサアセンブリをさらに示すブロックダイヤグラムである。
【図３】  移動通信装置にごく近接している身体及び離調されたアンテナを表す小信号等価回路を示す回路略図である。
【図４】  装置の相異なる位置に対する例示的移動通信装置例の反射係数｜Ｓ１１｜を示すグラフの図である。
【図５】  装置の相異なる位置に対する移動通信装置アンテナの反射係数｜Ｓ１１｜を示すグラフの図。
【図６】  本発明により、電話機が身体に近接しているとき、電話機の平均放射パワーを低減することにより、移動電話機のＳＡＲ値を低減するための方法の例を示すフローチャートの図である。
【図７】  身体への移動通信装置の近接を検出するための方法の例を示すフローチャートの図である。
【図１】
0004227386.tif 000002
【図２】
0004227386.tif 000003
【図３】
0004227386.tif 000004
【図４】
0004227386.tif 000005
【図５】
0004227386.tif 000006
【図６】
0004227386.tif 000007
【図７】
0004227386.tif 000008